(57)【要約】【課題】ファクシミリ送信前に送信先が正しいかを確実に確認でき、ファクシミデータを誤送信するのを防止することができる通信装置を提供すること。【解決手段】図２（ｂ）に示すように、送信側装置１から受信側装置２へＦＡＸ送信する場合、ＩＰ網２００を介して送信側装置１と受信側装置２とが通信可能にコネクションを確立する。その後本来であれば、送信側装置１から受信側装置２を発呼するが、ＦＡＸ３に誤ダイヤルしてＦＡＸ３を発呼したとする。この場合、交換機から送信側装置１にＲＢＴ信号、ＦＡＸ３にＣＩ信号が出力され受信側装置２にはＣＩ信号は出力されない。送信側装置１はＲＢＴ信号を検出すると、受信側装置２へＩＰ網を介して発呼した旨を通知するが、受信側装置２は被呼されてないのでＡＣＫを返信しない。これにより、送信側装置１は、ＡＣＫを受信側装置２から受信できないとして発呼先が誤りと確認でき、発呼を停止する。【選択図】図２
2011015032.tif 000002
【特許請求の範囲】
【請求項１】
電話回線と、インターネット回線との各々を介して他の通信装置と通信可能な通信装置において、
ＦＡＸ番号と関連付けられたＩＰアドレスを記憶する記憶手段と、
前記インターネット回線を介して前記他の通信装置と通信可能な状態を確立することを、前記記憶手段に記憶されたＩＰアドレスから指示されたＩＰアドレスを用いて前記インターネット回線を介して前記他の通信装置に要求する要求手段と、
その要求手段による要求に応じた前記他の通信装置との間で前記インターネット回線を介して前記他の通信装置と通信可能な状態を確立する確立手段と、
その確立手段によって前記他の通信装置と通信可能な状態が確立されたことを条件に、前記記憶手段に記憶されたＦＡＸ番号のうち、指示されたＩＰアドレスと関連付けられたＦＡＸ番号のダイヤル信号を、前記電話回線を介して前記電話回線上に設置されている交換機に送出し、発呼対象装置を発呼する発呼手段と、
その発呼手段によって前記発呼対象装置を発呼することで、前記交換機から前記発呼対象装置を呼び出していることを示す呼出信号を検出する呼出信号検出手段と、
その検出手段によって前記呼出信号が検出されたことを条件に、前記インターネット回線を介して前記他の通信装置に発呼した旨を通知する通知手段と、
その通知手段による通知を受けた前記他の通信装置が前記電話回線を介して被呼されていることを条件に前記インターネット回線を介して送信する応答信号を受信する受信手段とを備え、
その受信手段によって前記応答信号を受信したことを条件に、前記電話回線を介して前記発呼対象装置と通信することを特徴とする通信装置。
【請求項２】
所定時間が経過しても前記受信手段によって前記応答信号を受信できない場合に、前記発呼手段による発呼を停止する第１停止手段を備えていることを特徴とする請求項１に記載の通信装置。
【請求項３】
前記検出手段は、前記発呼手段によって前記発呼対象装置を発呼することで、前記交換機から前記発呼対象装置が通信中であることを示すビジー信号を検出し、
前記通知手段は、前記検出手段によって前記ビジー信号が検出されたことを条件に、前記インターネット回線を介して前記他の通信装置にビジーである旨を通知することを特徴とする請求項１又は２に記載の通信装置。
【請求項４】
前記受信手段によって前記応答信号を受信してから所定時間が経過したかを判断する判断手段と、
前記呼出信号が停止したかを検出する呼出停止検出手段とを備え、
その呼出停止検出手段により停止が検出されず、かつ、前記判断手段によって所定時間が経過したと判断された場合に、前記発呼手段による発呼を停止する第２停止手段とを備えていることを特徴とする請求項１から３のいずれかに記載の通信装置。
【請求項５】
前記通知手段は、自装置のＦＡＸ番号を前記他の通信装置に通知し、
前記受信手段は、前記通知手段によって通知されるＦＡＸ番号と、前記電話回線を介して前記他の通信装置を発呼している装置のＦＡＸ番号とが前記他の通信装置によって一致していると判断されたことを条件に送信される前記応答信号を受信することを特徴とする請求項１から３のいずれかに記載の通信装置。
【請求項６】
電話回線と、インターネット回線との各々を介して他の通信装置と通信可能な通信装置において、
前記他の通信装置から前記インターネット回線を介して通信可能な状態を確立することが要求された場合に、その他の通信装置と前記インターネット回線を介して通信可能な状態を確立する確立手段と、
その確立手段によって前記他の通信装置と通信可能な状態が確立されたことを条件に、前記電話回線上に設置されている交換機から送信される被呼信号を検出する被呼信号検出手段と、
その検出手段によって前記被呼信号が検出されている間に、前記インターネット回線を介して前記他の通信装置から発呼した旨を受信する第１受信手段と、
その第１受信手段によって前記発呼した旨を受信した場合に、前記インターネット回線を介して前記他の通信装置に、前記発呼した旨を受けたことを示す応答信号を返信する返信手段と、
その返信手段によって前記応答信号を返信したことを条件に、前記電話回線を閉結する閉結手段とを備えていることを特徴とする請求項１に記載の通信装置。
【請求項７】
前記確立手段によって前記他の通信装置と通信可能な状態を確立してから所定時間が経過したかを判断する第１判断手段と、
その第１判断手段によって所定時間が経過したと判断されるまでの間に、前記検出手段によって前記被呼信号が検出されない場合、前記他の通信装置が誤ダイヤルした可能性がある旨を報知する第１報知手段とを備えていることを特徴とする請求項６に記載の通信装置。
【請求項８】
前記第１受信手段によって前記発呼した旨を受信できなかった場合に、前記インターネット回線を介して前記他の通信装置からビジーである旨を受信する第２受信手段と、
その第２受信手段によってビジーである旨を受信した場合に、前記他の通信装置以外から被呼されている旨を報知する第２報知手段とを備えていることを特徴とする請求項６又は７に記載の通信装置。
【請求項９】
前記第２受信手段によって前記ビジーである旨を受信できなかった場合に、ネットワーク障害があった旨を報知する第３報知手段を備えていることを特徴とする請求項６から８のいずれかに記載の通信装置。
【請求項１０】
前記第１受信手段は、前記他の通信装置のＦＡＸ番号を前記インターネット回線を介して受信し、
前記検出手段によって検出される被呼信号を前記交換機に送信させた発呼元の装置のＦＡＸ番号を取得する取得手段と、
その取得手段によって取得したＦＡＸ番号と、前記第１受信手段によって受信した前記他の通信装置のＦＡＸ番号とが一致するかを確認する確認手段とを備え、
前記返信手段は、前記確認手段によって一致することが確認された場合に、前記応答信号を返信することを特徴とする請求項６から９のいずれかに記載の通信装置。
【請求項１１】
電話回線と、インターネット回線との各々を介して他の通信装置と通信可能な通信装置において、
請求項１に記載の記憶手段と、要求手段と、確立手段と、発呼手段と、呼出信号検出手段と、通知手段と、受信手段とを備え、その受信手段によって前記応答信号を受信したことを条件に、前記電話回線を介して前記発呼対象装置と通信し、
更に、請求項６に記載の確立手段と、被呼信号検出手段と、第１受信手段と、返信手段と、閉結手段とを備えていることを特徴とする通信装置。
【発明の詳細な説明】
【技術分野】
【０００１】
本発明は、通信装置に関するものである。
【背景技術】
【０００２】
特許文献１には、ファクシミリ送信前に、利用者が入力した番号と、ネットワーク上に公開されている法人電話帳データベースとを照合することによって、入力した番号の正誤を確認する技術が記載されている。
【先行技術文献】
【特許文献】
【０００３】
【特許文献１】特開２００８−０９８７７５
【発明の概要】
【発明が解決しようとする課題】
【０００４】
しかしながら、上述した特許文献１に記載された技術では、利用者が入力した番号が、ネットワーク上に公開されている法人電話帳データベースに登録されていなければ確認することができないという問題点があった。
【０００５】
本発明は、上述した問題点を解決するためになされたものであり、ファクシミリ送信前に送信先が正しいかを確実に確認でき、ファクシミデータを誤送信するのを防止することができる通信装置を提供することを目的としている。
【課題を解決するための手段】
【０００６】
この目的を達成するために、請求項１記載の通信装置は、電話回線と、インターネット回線との各々を介して他の通信装置と通信可能なものであって、ＦＡＸ番号と関連付けられたＩＰアドレスを記憶する記憶手段と、前記インターネット回線を介して前記他の通信装置と通信可能な状態を確立することを、前記記憶手段に記憶されたＩＰアドレスから指示されたＩＰアドレスを用いて前記インターネット回線を介して前記他の通信装置に要求する要求手段と、その要求手段による要求に応じた前記他の通信装置との間で前記インターネット回線を介して前記他の通信装置と通信可能な状態を確立する確立手段と、その確立手段によって前記他の通信装置と通信可能な状態が確立されたことを条件に、前記記憶手段に記憶されたＦＡＸ番号のうち、指示されたＩＰアドレスと関連付けられたＦＡＸ番号のダイヤル信号を、前記電話回線を介して前記電話回線上に設置されている交換機に送出し、発呼対象装置を発呼する発呼手段と、その発呼手段によって前記発呼対象装置を発呼することで、前記交換機から前記発呼対象装置を呼び出していることを示す呼出信号を検出する呼出信号検出手段と、その検出手段によって前記呼出信号が検出されたことを条件に、前記インターネット回線を介して前記他の通信装置に発呼した旨を通知する通知手段と、その通知手段による通知を受けた前記他の通信装置が前記電話回線を介して被呼されていることを条件に前記インターネット回線を介して送信する応答信号を受信する受信手段とを備え、その受信手段によって前記応答信号を受信したことを条件に、前記電話回線を介して前記発呼対象装置と通信する。
【０００７】
請求項２記載の通信装置は、請求項１記載の通信装置において、所定時間が経過しても前記受信手段によって前記応答信号を受信できない場合に、前記発呼手段による発呼を停止する第１停止手段を備えている。
【０００８】
請求項３記載の通信装置は、請求項１又は２に記載の通信装置において、前記検出手段は、前記発呼手段によって前記発呼対象装置を発呼することで、前記交換機から前記発呼対象装置が通信中であることを示すビジー信号を検出し、前記通知手段は、前記検出手段によって前記ビジー信号が検出されたことを条件に、前記インターネット回線を介して前記他の通信装置にビジーである旨を通知する。
【０００９】
請求項４記載の通信装置は、請求項１から３のいずれかに記載の通信装置において、前記受信手段によって前記応答信号を受信してから所定時間が経過したかを判断する判断手段と、前記呼出信号が停止したかを検出する呼出停止検出手段とを備え、その呼出停止検出手段により停止が検出されず、かつ、前記判断手段によって所定時間が経過したと判断された場合に、前記発呼手段による発呼を停止する第２停止手段とを備えている。
【００１０】
請求項５記載の通信装置は、請求項１から３のいずれかに記載の通信装置において、前記通知手段は、自装置のＦＡＸ番号を前記他の通信装置に通知し、前記受信手段は、前記通知手段によって通知されるＦＡＸ番号と、前記電話回線を介して前記他の通信装置を発呼している装置のＦＡＸ番号とが前記他の通信装置によって一致していると判断されたことを条件に送信される前記応答信号を受信する。
【００１１】
請求項６記載の通信装置は、電話回線と、インターネット回線との各々を介して他の通信装置と通信可能なものであって、前記他の通信装置から前記インターネット回線を介して通信可能な状態を確立することが要求された場合に、その他の通信装置と前記インターネット回線を介して通信可能な状態を確立する確立手段と、その確立手段によって前記他の通信装置と通信可能な状態が確立されたことを条件に、前記電話回線上に設置されている交換機から送信される被呼信号を検出する被呼信号検出手段と、その検出手段によって前記被呼信号が検出されている間に、前記インターネット回線を介して前記他の通信装置から発呼した旨を受信する第１受信手段と、その第１受信手段によって前記発呼した旨を受信した場合に、前記インターネット回線を介して前記他の通信装置に、前記発呼した旨を受けたことを示す応答信号を返信する返信手段と、その返信手段によって前記応答信号を返信したことを条件に、前記電話回線を閉結する閉結手段とを備えている。
【００１２】
請求項７記載の通信装置は、請求項６に記載の通信装置において、前記確立手段によって前記他の通信装置と通信可能な状態を確立してから所定時間が経過したかを判断する第１判断手段と、その第１判断手段によって所定時間が経過したと判断されるまでの間に、前記検出手段によって前記被呼信号が検出されない場合、前記他の通信装置が誤ダイヤルした可能性がある旨を報知する第１報知手段とを備えている。
【００１３】
請求項８記載の通信装置は、請求項６又は７に記載の通信装置において、前記第１受信手段によって前記発呼した旨を受信できなかった場合に、前記インターネット回線を介して前記他の通信装置からビジーである旨を受信する第２受信手段と、その第２受信手段によってビジーである旨を受信した場合に、前記他の通信装置以外から被呼されている旨を報知する第２報知手段とを備えている。
【００１４】
請求項９記載の通信装置は、請求項６から８のいずれかに記載の通信装置において、前記第２受信手段によって前記ビジーである旨を受信できなかった場合に、ネットワーク障害があった旨を報知する第３報知手段を備えている。
【００１５】
請求項１０記載の通信装置は、請求項６から９のいずれかに記載の通信装置において、前記第１受信手段は、前記他の通信装置のＦＡＸ番号を前記インターネット回線を介して受信し、前記検出手段によって検出される被呼信号を前記交換機に送信させた発呼元の装置のＦＡＸ番号を取得する取得手段と、その取得手段によって取得したＦＡＸ番号と、前記第１受信手段によって受信した前記他の通信装置のＦＡＸ番号とが一致するかを確認する確認手段とを備え、前記返信手段は、前記確認手段によって一致することが確認された場合に、前記応答信号を返信する。
【００１６】
請求項１１記載の通信装置は、電話回線と、インターネット回線との各々を介して他の通信装置と通信可能なものであって、請求項１に記載の記憶手段と、要求手段と、確立手段と、発呼手段と、呼出信号検出手段と、通知手段と、受信手段とを備え、その受信手段によって前記応答信号を受信したことを条件に、前記電話回線を介して前記発呼対象装置と通信し、更に、請求項６に記載の確立手段と、被呼信号検出手段と、第１受信手段と、返信手段と、閉結手段とを備えている。
【発明の効果】
【００１７】
請求項１記載の通信装置によれば、記憶手段に記憶されているＩＰアドレスを用いて、インターネット回線を介して他の通信装置と通信可能な状態が確立されたことを条件に、そのＩＰアドレスに関連付けて記憶されているＦＡＸ番号のダイヤル信号が、電話回線を介して電話回線上に設置されている交換機に送出され、発呼対象装置が発呼される。そして、その発呼対象装置が発呼されることで、交換機から送出される発呼対象装置を呼び出していることを示す呼出信号が検出されたことを条件に、インターネット回線を介して他の通信装置に発呼した旨が通知される。一方、その通知を受けた他の通信装置は、電話回線を介して被呼されていることを条件にインターネット回線を介して応答信号を送信する。即ち、この応答信号を送信する条件を満たす場合には、発呼対象装置が、他の通信装置である可能性が高いと判断でき、ファクシミリ送信前に送信先が正しいかを確認できる。そして、この応答信号が受信されたことを条件に、電話回線を介して発呼対象装置と通信することで、ファクシミデータを誤送信するのを防止することができるという効果がある。
【００１８】
請求項２記載の通信装置によれば、請求項１に記載の通信装置の奏する効果に加え、所定時間が経過しても応答信号を受信できない場合には、発呼するのが停止されるので、ファクシミデータを誤送信するのを防止することができるという効果がある。
【００１９】
請求項３記載の通信装置によれば、請求項１又は２に記載の通信装置の奏する効果に加え、発呼対象装置を発呼した結果、発呼対象装置が通信中であることを示すビジー信号が検出された場合には、インターネット回線を介して他の通信装置にビジーである旨を通知するので、他の通信装置に自装置以外の装置と通信中であることを認識させることができるという効果がある。
【００２０】
請求項４記載の通信装置によれば、請求項１から３のいずれかに記載の通信装置の奏する効果に加え、呼出信号の停止が検出されず、かつ、応答信号を受信してから所定時間が経過したと判断された場合には発呼が停止される。誤ダイヤルをしたタイミングで、たまたま、他の通信装置が別の装置から発呼されることもある。この場合、他の通信装置は、被呼されている間に発呼した旨の通知を受けたとして、応答信号を返信してしまう可能性がある。かかる場合に備え、他の通信装置から応答信号を受信したとしても、呼出信号の停止が検出されず、かつ、応答信号を受信してから所定時間が経過したような場合には、誤ダイヤルの可能性を含むとして、発呼するのを停止することで、ファクシミデータを誤送信するのを、より確実に防止することができるという効果がある。
【００２１】
請求項５記載の通信装置によれば、請求項１から３のいずれかに記載の通信装置の奏する効果に加え、発呼した旨に加え、自装置のＦＡＸ番号を他の通信装置に通知するので、他の通信装置に、自装置のＦＡＸ番号を通知することができる。そのため、他の通信装置では、その通知されたＦＡＸ番号と、前記電話回線を介して自装置を発呼している装置のＦＡＸ番号とが一致していると判断した場合に、前記応答信号を送信することが可能となる。その結果、応答信号を受信した場合には、必ず、発呼対象装置が、他の通信装置であることを確認することができる。従って、ファクシミデータを誤送信するのをより確実に防止することができるという効果がある。
【００２２】
請求項６記載の通信装置によれば、他の通信装置とインターネット回線を介して通信可能な状態が確立されたことを条件に、電話回線上に設置されている交換機から被呼信号が送信されたかを検出し、その被呼信号が検出されている間に、インターネット回線を介して他の通信装置から自装置を発呼した旨を受信した場合に、その発呼した旨を受けたことを示す応答信号がインターネット回線を介して他の通信装置に返信される。即ち、この応答信号を返信する条件を満たす場合には、自装置を発呼している装置が所望する他の通信装置である可能性が高いと判断できるので、かかる応答信号を返信する条件を満たす場合に、応答信号を他の通信装置に返信することで、他の通信装置に、誤ダイヤルではないことを認識させることができる。そして、その応答信号を返信したことを条件に、電話回線を閉結するので、ファクシミリデータが誤送信されるのを防止することができるという効果がある。
【００２３】
請求項７記載の通信装置によれば、請求項６に記載の通信装置の奏する効果に加え、確立手段によって他の通信装置と通信可能な状態を確立してから所定時間が経過したと判断されるまでの間に、検出手段によって被呼信号が検出されない場合、他の通信装置が誤ダイヤルした可能性がある旨を報知するので、その旨をユーザに認識させることができるという効果がある。
【００２４】
請求項８記載の通信装置によれば、請求項６又は７に記載の通信装置の奏する効果に加え、発呼した旨を受信できず、ビジーである旨を受信した場合には、他の通信装置以外から被呼されている旨を報知するので、その旨をユーザに認識させることができるという効果がある。
【００２５】
請求項９記載の通信装置によれば、請求項６から８のいずれかに記載の通信装置の奏する効果に加え、ビジーである旨を受信できなかった場合に、ネットワーク障害があった旨を報知するので、その旨をユーザに認識させることができるという効果がある。
【００２６】
請求項１０記載の通信装置によれば、請求項６から９のいずれかに記載の通信装置の奏する効果に加え、他の通信装置が誤ダイヤルをしたタイミングで、たまたま、他の通信装置とは別の装置から発呼されることもある。この場合に備え、自装置を発呼しているのが他の通信装置であるかを、インターネット回線を介して他の通信装置から通知される他の通信装置のＦＡＸ番号と、取得手段によって取得した発呼している装置のＦＡＸ番号とが一致しているかによって判断し、一致している場合に、応答信号を他の通信装置に返信することで、より正確に、実際に発呼している他の通信装置にだけ応答信号を返信することができるという効果がある。
【００２７】
請求項１１記載の通信装置によれば、請求項１に記載の通信装置と、請求項６に記載の通信装置とが奏する効果と同様な効果を奏することができる。
【図面の簡単な説明】
【００２８】
【図１】通信システムの電気的構成を示すブロック図である。
【図２】ＦＡＸ送信処理のシーケンス図である。
【図３】ＦＡＸ送信処理を示すフローチャートである。
【図４】ＦＡＸ受信処理を示すフローチャートである。
【図５】第２実施形態のＦＡＸ送信処理のシーケンス図である。
【図６】第２実施形態のＦＡＸ送信処理を示すフローチャートである。
【図７】第２実施形態のＦＡＸ受信処理を示すフローチャートである。
【発明を実施するための形態】
【００２９】
以下、本発明の好ましい実施形態について、添付図面を参照して説明する。図１は、本発明の実施形態における通信システムＳの電気的構成を示すブロック図である。本実施形態の通信システムＳは、電話回線網１００と、ＩＰ網２００との各々を介して互いに通信可能な第１ファクシミリ装置１と、第２ファクシミリ装置２とによって構成されている。
【００３０】
第１ファクシミリ装置１と、第２ファクシミリ装置２とは同じ装置であり、互いにファクシミリデータの送受信を可能に構成されているが、便宜上、第１ファクシミリ装置１を送信側装置１、第２ファクシミリ装置２を受信側装置２と称す。但し、送信側装置１と、受信側装置２とは、同じ装置なので、送信側装置１についてのみ説明し、受信側装置２には送信側装置１と同一符合を付し、その説明は省略する。
【００３１】
送信側装置１は、主に、ＣＰＵ１１、ＲＯＭ１２、ＲＡＭ１３、フラッシュメモリ１４、インターネットＩ／Ｆ１５、操作キー１６、ＬＣＤ１７、スキャナ１８，プリンタ１９、モデム２０，切換回路２１，ＮＣＵ２２とによって構成されており、入出力ポート２３を介して互いに接続されている。
【００３２】
ＣＰＵ１１は、ＲＯＭ１２やＲＡＭ１３やフラッシュメモリ１４に記憶される固定値やプログラム或いは、インターネットＩ／Ｆ１５、ＮＣＵ２２を介して送受信される各種信号に従って、送信側装置１が備えている各機能の制御や、入出力ポート２３と接続された各部を制御するものである。
【００３３】
ＲＯＭ１２は、送信側装置１で実行される制御プログラムなどを格納した書換不能なメモリである。後述する図３のＦＡＸ送信処理、図４のＦＡＸ受信処理を実行する各プログラムは、このＲＯＭ１２に格納されている。
【００３４】
ＲＡＭ１３は、書換可能な揮発性のメモリであり、送信側装置１の各操作の実行時に各種のデータを一時的に記憶するためのメモリであり、各種タイマメモリ１３ａが割り当てられている。各種タイマメモリ１３ａには、各種タイマのカウント値が記憶されている。
【００３５】
フラッシュメモリ１４は、書換可能な不揮発性のメモリであり、このフラッシュメモリ１４に記憶されたデータは、送信側装置１の電源オフ後も保持される。このフラッシュメモリ１４には、誤送信防止フラグ１４ａ、ＩＰアドレスメモリ１４ｂが割当てられている。
【００３６】
誤送信防止フラグ１４ａは、誤送信防止モードに設定されている場合に「ＯＮ」、解除されている場合に「ＯＦＦ」に設定されるフラグである。誤送信防止モードは、通常ＦＡＸモードよりも誤送信を防止することができるモードである。ＩＰアドレスメモリ１４ｂは、送信側装置１とＩＰ網２００を介して通信可能な他の装置のＩＰアドレスとＦＡＸ番号が対応付けられて記憶され、その他の装置の登録名も紐付けされて記憶されている。
【００３７】
インターネットＩ／Ｆ１５は、ＩＰ網２００と接続するためのインターフェースである。操作キー１６は、スタートキー、テンキー、各種機能キー等によって構成され所定指示を入力する。ＬＣＤ１７は、各種画像を表示する装置である。スキャナ１８は、原稿を読み取る装置である。プリンタ１９は、記録用紙に画像を記録する装置である。モデム２０は、データを変調／復調するものである。切換回路２１は、電話回線網１００との接続をＯＮ／ＯＦＦ可能なリレー回路である。ＮＣＵ２２は、電話回線網１００にダイヤル信号の送出や、電話回線網１００からの呼出信号の応答などの制御を行う。
【００３８】
図２は、ＦＡＸ送信処理のシーケンス図である。本実施形態では、送信側装置１から受信側装置２へＦＡＸ送信する場合について説明する。
【００３９】
図２（ａ）は、受信側装置２のＦＡＸ番号が正しくダイヤルされた場合のシーケンス図である。誤送信防止モードでＦＡＸ送信する場合には、まず、ＩＰアドレスメモリ１４ｂに記憶されている受信側装置２を特定し、ＩＰ網２００を介して受信側装置２との間でＰｅｅｒ  ｔｏ  Ｐｅｅｒ（以下「Ｐ２Ｐ」と称す）でＩＰパケットを送受信できるようにコネクションを確立する。
【００４０】
受信側装置２との間でコネクションが確立すると、受信側装置２のＦＡＸ番号をダイヤルして電話回線網１００を介して受信側装置２を発呼する。受信側装置２のＦＡＸ番号が正しくダイヤルされると、交換機から送信側装置１にＲｉｎｇｉｎｇ  Ｂａｃｋ  Ｔｏｎｅ（以下「ＲＢＴ信号」と称す）、受信側装置２へＣａｌｌ  Ｉｎｄｉｃａｔｏｒ（以下「ＣＩ信号」と称す）が出力される。
【００４１】
送信側装置１は、ＲＢＴ信号を検出すると、受信側装置２へＩＰ網２００を介して発呼した旨を示すＩＰパケットを送信する。受信側装置２は、このＩＰパケットをＣＩ信号を検出している間に受信した場合には、送信側装置１にＡＣＫｎｏｗｌｅｄｇｅｍｅｎｔ（以下「ＡＣＫ」と称す）を返信する。尚、送信側装置１は、このＡＣＫを受信し、回線が閉結されると、ファクシミリデータを受信側装置２に送信する。
【００４２】
図２（ｂ）は、受信側装置２のＦＡＸ番号が正しくダイヤルされず、受信側装置２とは別のファクシミリ装置であるＦＡＸ３に誤ダイヤルした場合のシーケンス図である。
【００４３】
この場合にも、最初は、ＩＰ網２００を介して受信側装置２と通信可能にコネクションを確立するが、送信側装置１において、受信側装置２のＦＡＸ番号が正しくダイヤルされず、ＦＡＸ３に誤ダイヤルしてＦＡＸ３を発呼したとする。
【００４４】
この場合、交換機から送信側装置１にＲＢＴ信号、ＦＡＸ３にＣＩ信号が出力され、受信側装置２にはＣＩ信号は出力されないこととなる。そして、送信側装置１は、ＲＢＴ信号を検出すると、受信側装置２へＩＰ網２００を介して発呼した旨を示すＩＰパケットを送信するが、受信側装置２は、ＣＩ信号を検出できない（被呼されていない）ので、ＡＣＫを返信しない。これにより、送信側装置１は、所定時間内にＡＣＫを受信側装置２から受信できないとして、誤ダイヤルしたと判断し、強制的に発呼を停止する。
【００４５】
このように、受信側装置２が被呼されている間に、送信側装置１から発呼した旨が受信側装置２に通知されたか否かによって、誤ダイヤルか否かを判断しているので、電話回線網１００における受信側装置２のＦＡＸ番号が登録されているか否かに拘らず、誤ダイヤルかを判断することができる。そして、ＡＣＫを受信側装置２から受信できない場合、送信側装置１は、発呼を停止するので、受信側装置２以外の装置に、電話回線網１００を介してファクシミリデータが送信されるのを防止することができる。
【００４６】
図２（ｃ）は、図２（ｂ）と同様に、受信側装置２のＦＡＸ番号が正しくダイヤルされず、ＦＡＸ３に誤ダイヤルした場合のシーケンス図であり、図２（ｃ）は、特に、送信側装置１が受信側装置２とコネクションを確立した後であって、ＦＡＸ３を発呼する前に、受信側装置２をＦＡＸ４が発呼された場合を示している。
【００４７】
この場合には、ＦＡＸ４によって受信側装置２が発呼されたことで、交換機から受信側装置２へＣＩ信号が出力され、その後、上述したのと同様に、誤ダイヤルした送信側装置１から受信側装置２へＩＰ網２００を介して発呼した旨を示すＩＰパケットが送信される。
【００４８】
この場合、受信側装置２は、ＦＡＸ４の発呼に伴ってＣＩ信号を検出し、その間に、発呼した旨を示すＩＰパケットを受信するので、誤ダイヤルが発生したのにも拘らず、ＩＰ網２００を介してＡＣＫを送信側装置１へ返信することになる。
【００４９】
そこで、かかる不具合を防止するために、送信側装置１は、ＡＣＫを受信してから所定時間経過してもＲＢＴ信号が検出されている場合には、ＦＡＸ３が回線を閉結しない可能性もあるが、誤ダイヤルが発生している可能性があると判断して、送信側装置１の発呼を強制的に停止する。
【００５０】
このように、送信側装置１が誤ダイヤルをしたタイミングで、たまたま、送信側装置１とは別のＦＡＸ４から受信側装置２が発呼されることもある。この場合、受信側装置２は、被呼されている間に送信側装置１からの通知を受けたとして、送信側装置１にＡＣＫを返信してしまう可能性がある。
【００５１】
かかる場合に備え、送信側装置１は、受信側装置２から返信を受信したとしても、所定時間内に電話回線が閉結してないことが検出された場合には、誤ダイヤルの可能性を含むと判断し、発呼を停止する。よって、一層、正確に誤ダイヤルかを判断することができ、一層確実に、受信側装置２以外の装置に、電話回線網１００を介してファクシミリデータが送信されるのを防止することができる。
【００５２】
図３は、ＦＡＸ送信処理を示すフローチャートである。このＦＡＸ送信処理は送信側装置１からＦＡＸを送信する処理であり、ユーザからＦＡＸモードの実行が指示された場合に実行される処理である。
【００５３】
この処理では、まず、スキャナ１８によって原稿を読み取る（Ｓ３０１）。次に、誤送信防止モードに設定されているか、即ち、誤送信防止フラグ１４ａがＯＮかを判断し（Ｓ３０２）、誤送信防止フラグがＯＦＦであれば（Ｓ３０２：Ｎｏ）、通常のＦＡＸ送信処理を実行して（Ｓ３０３）、本処理を終了する。
【００５４】
Ｓ３０２の判断で誤送信防止フラグ１４ａがＯＮであれば（Ｓ３０２：Ｙｅｓ）、ＦＡＸ受信する相手側装置とコネクションを確立することを要求する旨を表示する（Ｓ３０４）。そして、コネクション確立処理を実行し（Ｓ３０５）、コネクションが確立されない場合には（Ｓ３０６：Ｎｏ）、コネクションが確立されない旨を表示して（Ｓ３０７）、本処理を終了する。
【００５５】
Ｓ３０６の判断でコネクションが確立された場合には（Ｓ３０６：Ｙｅｓ）、相手側装置のＦＡＸ番号を示すダイヤルが検出されたかを判断し（Ｓ３０８）、検出されない場合には（Ｓ３０８：Ｎｏ）、本処理を終了し、検出できた場合には（Ｓ３０８：Ｙｅｓ）、相手側装置を発呼する（Ｓ３０９）。
【００５６】
そして、タイマをスタートさせ、ＲＢＴ信号を検出したかを判断し（Ｓ３１０）、検出できない場合には（Ｓ３１０：Ｎｏ）、ＢＴ信号（ビジー信号）を検出したか判断し（Ｓ３１１）、Ｂｕｓｙ  Ｔｏｎｅ（以下「ＢＴ信号」と称す）を検出した場合には（Ｓ３１１：Ｙｅｓ）、ビジーである旨を表示する（Ｓ３１２）。そして、ビジーである旨を示すＩＰパケットを、ＩＰ網２００を介してコネクションを確立した相手側装置に送信し（Ｓ３２６）、本処理を終了する。一方、ＢＴ信号を検出しない場合には（Ｓ３１１：Ｎｏ）、所定時間経過したかを判断し（Ｓ３１３）、経過していれば（Ｓ３１３：Ｙｅｓ）、相手側装置と回線が繋がらない旨を表示して（Ｓ３１４）、本処理を終了する。所定時間経過していなければ（Ｓ３１３：Ｎｏ）、Ｓ３１０からの処理を繰り返す。
【００５７】
Ｓ３１０の判断においてＲＢＴ信号が検出された場合には（Ｓ３１０：Ｙｅｓ）、新たなタイマをカウントさせ、所定時間、例えば５秒経過するまで待機（Ｓ３１５：Ｎｏ）した後（Ｓ３１５：Ｙｅｓ）、発呼した旨を示すＩＰパケットをＩＰ網２００を介してコネクションを確立した相手側装置に送信する（Ｓ３１６）。
【００５８】
そして、発呼した旨を示すＩＰパケットを送信した場合には、新たなタイマをカウントさせ、相手側装置からＡＣＫを受信したかを判断し（Ｓ３１７）、ＡＣＫを受信していなければ（Ｓ３１７：Ｎｏ）、所定時間経過するまで（Ｓ３２４：Ｎｏ）、Ｓ３１７を繰り返し、所定時間経過してもＡＣＫを受信できない場合には（Ｓ３２４：Ｙｅｓ）、誤ダイヤルであると判断し、発呼を停止する（Ｓ３１８）。即ち、切換回路２１によって電話回線網１００との接続を強制的に切断し、誤ダイヤルである旨を表示して（Ｓ３１９）、本処理を終了する。
【００５９】
一方、Ｓ３１７の判断で、ＡＣＫを受信した場合には（Ｓ３１７；Ｙｅｓ）、新たなタイマをカウントさせ、ＲＢＴ信号が停止しているかを判断し（Ｓ３２０）、停止していなければ（Ｓ３２０：Ｎｏ）、所定時間、例えば、６０秒経過するまで（Ｓ３２１：Ｎｏ）、Ｓ３２０からの処理を繰り返し、その間に、ＲＢＴ信号が停止していれば（Ｓ３２０；Ｙｅｓ）、回線が閉結されたとして、読み取りデータを相手側装置に送信し（Ｓ３２５）、本処理を終了する。
【００６０】
Ｓ３２１の判断で、所定時間経過した場合には（Ｓ３２１：Ｙｅｓ）、発呼を停止する（Ｓ３２２）。即ち、切換回路２１によって電話回線網１００との接続を強制的に切断し、誤ダイヤルである可能性がある旨を表示して（Ｓ３２３）、本処理を終了する。
【００６１】
即ち、ＡＣＫを受信したのにも拘らず、所定時間以内で、ＲＢＴ信号が停止しないということは、誤ダイヤルではなく、単に、相手側装置が回線を閉結しない場合も考えられる一方で、図２（ｃ）で説明したケースが発生している可能性があるので、誤送信を確実に防止すべく、かかる場合には、発呼を停止するのである（Ｓ３２２）。
【００６２】
図４は、ＦＡＸ受信処理を示すフローチャートである。このＦＡＸ受信処理は送信側装置１から送信されるＦＡＸを受信する処理であり、定期的に実行される処理である。
【００６３】
この処理では、まず、送信側装置１からコネクションの確立要求があったかを判断し（Ｓ４０１）、無ければ本処理を終了し（Ｓ４０１：Ｎｏ）、有った場合には（Ｓ４０１：Ｙｅｓ）、送信側装置１との間でコネクション確立処理を実行し（Ｓ４０２）。コネクションが確立できない場合には（Ｓ４０３：Ｎｏ）、本処理を終了する。
【００６４】
Ｓ４０３の判断で、コネクションを確立できた場合には（Ｓ４０３：Ｙｅｓ）、タイマのカウントを開始して、ＣＩ信号を検出したかを判断し（Ｓ４０４）、検出できない場合には（Ｓ４０４：Ｎｏ）、所定時間、例えば３分経過するまでは（Ｓ４０５：Ｎｏ）、Ｓ４０４の処理を繰り返し、所定時間が経過した場合には（Ｓ４０５：Ｙｅｓ）、送信側装置１において誤ダイヤルがあった可能性がある旨を表示して（Ｓ４０６）、本処理を終了する。
【００６５】
Ｓ４０４の処理においてＣＩ信号を検出した場合には（Ｓ４０４：Ｙｅｓ）、新たなタイマのカウントを開始し、発呼した旨を示すＩＰパケットを送信側装置１から受信したかを判断し（Ｓ４０７）、受信していない場合には（Ｓ４０７：Ｎｏ）、所定時間、例えば３０秒が経過するまで（Ｓ４０８：Ｎｏ）、Ｓ４０７の処理を繰り返し、所定時間経過した場合には（Ｓ４０８：Ｙｅｓ）、ビジーである旨を示すＩＰパケットを、受信したかを判断する（Ｓ４０９）。
【００６６】
ビジーである旨を示すＩＰパケットを受信した場合には（Ｓ４０９：Ｙｅｓ）、送信側装置１とは異なる他の装置からの被呼である旨を表示する（Ｓ４１０）。即ち、このビジーである旨を示すＩＰパケットは、送信側装置１とコネクションを確立後、送信側装置１が発呼する前に、送信側装置１以外から発呼されたこを示している。ビジーである旨を示すＩＰパケットを受信しない場合には（Ｓ４０９：Ｎｏ）、何らかのネットワーク障害が発生した旨を表示して（Ｓ４１１）、本処理を終了する。
【００６７】
Ｓ４０７の処理において、発呼した旨を示すＩＰパケットを受信した場合には（Ｓ４０７：Ｙｅｓ）、ＡＣＫを返信し（Ｓ４１２）、回線を閉結し（Ｓ４１３）、送信側装置１から送信されるデータを受信し（Ｓ４１４）、その受信したデータを記録用紙に出力して（Ｓ４１５）、本処理を終了する。
【００６８】
次に、図５乃至図７を参照して、第２実施形態の通信システムＳについて説明する。この第２実施形態の通信システムＳを構成する送信側装置１と、受信側装置２とは、各々、電話回線を閉結する前に、自装置を発呼している相手側装置のＦＡＸ番号を取得できる機能を有している点で、第１実施形態の場合と異なる。尚、その他の構成は、同様に構成されているものとする。
【００６９】
図５は、第２実施形態のＦＡＸ送信処理のシーケンス図であり、第１実施形態の図２に対応し、この第２実施形態では、第１実施形態と異なる部分について説明する。
【００７０】
図５（ａ）は、受信側装置２のＦＡＸ番号が正しくダイヤルされた場合のシーケンス図である。第１実施形態の場合と異なるのは、送信側装置１が受信側装置２を発呼した場合、受信側装置２は送信側装置１のＦＡＸ番号を取得する。また、送信側装置１は、ＩＰ網２００を介して発呼した旨を示すＩＰパケットに加え、自装置（送信側装置１）のＦＡＸ番号を受信側装置２に通知する。
【００７１】
そして、受信側装置２は、電話回線網１００を介して取得したＦＡＸ番号と、ＩＰ網２００を介して取得したＦＡＸ番号とを比較し、両者が一致していた場合に、ＩＰ網２００を介してＡＣＫを返信する。
【００７２】
図５（ｂ）は、受信側装置２のＦＡＸ番号が正しくダイヤルされず、受信側装置２とは別のファクシミリ装置であるＦＡＸ３に誤ダイヤルした場合のシーケンス図である。
【００７３】
この場合、送信側装置１が誤ダイヤルをしているので、受信側装置２は、電話回線網１００を介して送信側装置１のＦＡＸ番号を取得することができない。よって、受信側装置２は、送信側装置１から、ＩＰ網２００を介して送信側装置１のＦＡＸ番号を取得したとしても、両者は一致せず、ＡＣＫを返信しない。これにより、送信側装置１は、所定時間内にＡＣＫを受信側装置２から受信できないとして、誤ダイヤルと判断し、強制的に発呼を停止する。
【００７４】
図５（ｃ）は、図５（ｂ）と同様に、受信側装置２のＦＡＸ番号が正しくダイヤルされず、ＦＡＸ３に誤ダイヤルした場合のシーケンス図であり、図５（ｃ）は、特に、送信側装置１が受信側装置２とコネクションを確立した後であって、ＦＡＸ３を発呼する前に、受信側装置２をＦＡＸ４が発呼された場合を示している。
【００７５】
この場合には、受信側装置２は、電話回線網１００を介してＦＡＸ４のＦＡＸ番号を取得する。また、受信側装置２は、送信側装置１からＩＰ網２００を介して送信側装置１のＦＡＸ番号を取得する。そして、受信側装置２は、電話回線網１００を介して取得したＦＡＸ４のＦＡＸ番号と、ＩＰ網２００を介して取得した送信側装置１のＦＡＸ番号とを比較するが、両者は一致しないので、ＡＣＫを返信しない。これにより、送信側装置１は、所定時間内にＡＣＫを受信側装置２から受信できないとして、誤ダイヤルと判断し、強制的に発呼を停止する。
【００７６】
図６は、第２実施形態のＦＡＸ送信処理を示すフローチャートであり、図３に対応し、この第２実施形態では、第１実施形態と異なる部分について説明する。尚、図６では、図３と同一の処理については、同一のステップ番号を付してある。第２実施形態では、ＩＰ網２００を介して発呼した旨を示すＩＰパケットに加え、送信側装置１のＦＡＸ番号を相手側装置に通知する（Ｓ６０１）。
【００７７】
また、第１実施形態では、相手側装置からＡＣＫを受信していたとしても（Ｓ３１７：Ｙｅｓ）、誤ダイヤルが発生している可能性があったが、この第２実施形態では、相手側装置からＡＣＫを受信している場合には（Ｓ３１７：Ｙｅｓ）、誤ダイヤルが発生していないので、所定時間内にＲＢＴ信号停止しないのは（Ｓ３２０：Ｎｏ）、誤ダイヤルではなく、相手側装置が回線を閉結しないことによるものである。
【００７８】
そこで、第２実施形態では、Ｓ６０２において、ＲＢＴ信号が停止したか否かを判断する所定時間を、第１実施形態の場合（図３のＳ３２１参照）よりも長く（例えば、１２０秒）設定することが好ましい。そして、その間に（Ｓ６０２：Ｎｏ）、ＲＢＴ信号が停止していれば（Ｓ３２０；Ｙｅｓ）、回線が閉結されたとして、読み取りデータを相手側装置に送信し（Ｓ３２５）、本処理を終了する。一方、所定時間が経過しても（Ｓ６０２：Ｙｅｓ）、ＲＢＴ信号が停止しない場合には（Ｓ３２０：Ｎｏ）、発呼を停止するように構成されている。
【００７９】
このように、この第２実施形態によれば、第１実施形態の場合よりも、より正確に誤ダイヤルが発生したかを判断することができる。
【００８０】
図７は、第２実施形態のＦＡＸ受信処理を示すフローチャートであり、図４に対応し、この第２実施形態では、第１実施形態と異なる部分について説明する。尚、図７では、図４と同一の処理については、同一のステップ番号を付してある。第２実施形態では、ＣＩ信号を検出すると（Ｓ４０４）、送信側装置１のＦＡＸ番号を取得し（Ｓ７０１）、送信側装置１から発呼した旨を示すＩＰパケットと、ＦＡＸ番号とをＩＰ網２００を介して受信したかを判断し（Ｓ７０２）、受信していない場合には（Ｓ７０２：Ｎｏ）、第１実施形態の場合と同様に、Ｓ４０８の処理に移行する。
【００８１】
Ｓ７０２の判断で、受信した場合には（Ｓ７０２：Ｙｅｓ）、Ｓ７０１で取得したＦＡＸ番号と、Ｓ７０２で取得したＦＡＸ番号とを比較する（Ｓ７０４）、その結果、両者が一致していれば（Ｓ７０４：Ｙｅｓ）、第１実施形態の場合と同様にＳ４１２の処理に移行する。一方、Ｓ７０４の判断で一致していない場合には（Ｓ７０４：Ｎｏ）、送信側装置１に誤ダイヤルが発生した旨を通知する（Ｓ７０５）ように構成されている。
【００８２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８３】
本実施形態では、誤ダイヤルであると判断した場合、強制的に発呼を停止させる場合について説明したが、ユーザに誤ダイヤルである旨を報知し、ユーザから要求された場合にのみ強制的に発呼を停止させるように構成しても良く、ユーザに手動で発呼を停止させるようにしても良い。また、確実に誤ダイヤルである場合に（Ｓ３１８）、発呼を強制停止させ、誤ダイヤルの可能性がある場合には（Ｓ３２２）、発呼を停止させるか、継続させるかをユーザに選択させるように構成しても良い。
【００８４】
また、第２実施形態では、受信側装置２を発呼しているのが送信側装置１なのか、送信側装置１とは別の装置なのかを、電話回線網１００を介して取得するＦＡＸ番号と、ＩＰ網２００を介して取得するＦＡＸ番号とを比較することで判断する場合について説明したが、これを判断する方法としては、受信側装置２にＦＡＸ番号と、ＩＰアドレスとを紐付けしたテーブルを用意しておき、現在、コネクションが確立されている送信側装置１のＩＰアドレスから、コネクションが確立されている送信側装置１のＦＡＸ番号を特定し、電話回線網１００を介して取得するＦＡＸ番号と比較することで判断するように構成しても良い
【符号の説明】
【００８５】
１                送信側装置の一例
２                受信側装置の一例
１００            電話回線網（電話回線の一例）
２００            ＩＰ網（インターネット回線の一例）
Ｓ３０５          請求項１記載の要求手段の一例
Ｓ３０５          請求項１記載の確立手段の一例
Ｓ３０９          請求項１記載の発呼手段の一例
Ｓ３１０          請求項１記載の呼出信号検出手段の一例
Ｓ３１６          請求項１記載の通知手段の一例
Ｓ３１７          請求項１記載の受信手段の一例
Ｓ３１６          請求項２記載の第１停止手段の一例
Ｓ３１０          請求項３記載の検出手段の一例
Ｓ３２６          請求項３記載の通知手段の一例
Ｓ３２０          請求項４の呼出停止検出手段
Ｓ３２１          請求項４記載の判断手段
Ｓ３２２          請求項４記載の第２停止手段
Ｓ６０１          請求項５記載の通知手段の一例
Ｓ４０２          請求項６記載の確立手段の一例
Ｓ４０４          請求項６記載の被呼信号検出手段の一例
Ｓ４０７          請求項６記載の第１受信手段の一例
Ｓ４１２          請求項６記載の返信手段の一例
Ｓ４１３          請求項６記載の閉結手段の一例
Ｓ４０５          請求項７記載の第１判断手段の一例
Ｓ４０６          請求項７記載の第１報知手段の一例
Ｓ４０９          請求項８記載の第２受信手段の一例
Ｓ４１０          請求項８記載の第２報知手段の一例
Ｓ４１１          請求項９記載の第３報知手段の一例
Ｓ７０２          請求項１０記載の第１受信手段の一例
Ｓ７０１          請求項１０記載の取得手段の一例
Ｓ７０３          請求項１０記載の確認手段の一例
【図１】
2011015032.tif 000003
【図２】
2011015032.tif 000004
【図３】
2011015032.tif 000005
【図４】
2011015032.tif 000006
【図５】
2011015032.tif 000007
【図６】
2011015032.tif 000008
【図７】
2011015032.tif 000009